(57)【要約】【課題】背部レストの起立時に自動的に枕部を収納することで、椅子形状での枕部からの使用者に対する不快感と転倒リスクとを払拭したベッドを提供することを目的とする。【解決手段】本発明に係るベッドによれば、背部レスト６１の起立動作時、即ちベッド１００が椅子形状へ変化する際には、枕部３０の上部は枕部入出孔３２内に自動的に収納され、また、背部レスト６１の倒伏動作時、即ちベッド１００がベッド形状へ変化する際には、枕部３０の上部が枕部支持体３４によって自動的に突出する。このため、ベッド１００は椅子形状となっても枕が脱落することも枕が突出した状態で残留することも無く、よって枕部３０からの使用者Ｕに対する不快感及び転倒リスクを払拭することができる。【選択図】図１
2009125339.tif 000002
【特許請求の範囲】
【請求項１】
使用者の背部を支持する起伏可能な背部レストを有するベッドにおいて、
前記背部レストの所定の位置に形成された枕部入出孔と、
枕部入出孔に可動な状態で挿入される枕部と、
枕部を前記枕部入出孔に沿って移動させる枕部支持体と、を有し、
背部レストの起立時には枕部の上部を枕部入出孔に収納するとともに、
背部レストの倒伏時には枕部支持体により枕部の上部が背部レストの表面よりも所定量突出することを特徴とするベッド。
【発明の詳細な説明】
【技術分野】
【０００１】
本発明は、使用者の背部を支持する背部レストが起伏可能なベッドに関し、特に、使用者の頭部近傍に収納可能な枕部を備えたベッドに関するものである。
【背景技術】
【０００２】
使用者の背部を支持する背部レストが起伏可能な機構を有するベッドは、主に介護用品の分野において、従来から種々のものが知られている。
【０００３】
例えば、下記［特許文献１］では、背部フレーム（背部レスト）、座部フレーム（座部レスト）、下腿部フレームおよび足部フレーム（下腿部レスト）を順番に配設して屈曲自在な床板フレームを形成し、その床板フレームがフラットな状態（ベッド形状）から椅子形状に屈曲するようにした介護ベッドに関する発明が開示されている。
【０００４】
又、下記［特許文献２］では、ベースフレーム上に昇降可能なサイドフレームを設けると共に、サイドフレームのヘッド側とフット側にそれぞれスライドフレームを挿入し、それらスライドフレームとサイドフレームとにより形成されるベッド床面上に、ヒンジ接続される背上げフレーム（背部レスト）、第１膝上げフレーム（座部レスト）、及び第２膝上げフレーム（下腿部レスト）を設けた可搬型介護ベッドに関する発明が開示されている。
【０００５】
通常、ベッドを使用する際には、使用者はその頭部に枕を敷いて用いるのが一般的である。しかしながら、［特許文献１］［特許文献２］に開示されたベッドのように背部レストが起伏可能なベッドでは、背部レストを起立させ椅子形状とする際に、使用していた枕が頭部から使用者の臀部方向に落下し使用者に不快感を及ぼす他、介護を必要とする使用者を前のめりに転倒させる要因ともなる。このため、下記［特許文献３］では、背部レストが起立状態となっても、枕が落下することを防止する機能を備えた枕ホルダーに関する発明が開示されている。
【０００６】
【特許文献１】実開平６−６４６３５号公報
【０００７】
【特許文献２】特開２００１−１９８１６５号公報
【特許文献３】特開２００３−３８３２８号公報
【発明の開示】
【発明が解決しようとする課題】
【０００８】
しかしながら、［特許文献３］に開示された発明でも、椅子形状となったベッドの頭部位置に枕が突出した状態で残留し、この枕は着座姿勢の使用者の頭部を前方に押し出す形となるため、依然、使用者を前のめりに転倒させる危険性を孕んでいる。また、ベッドを椅子形状で使用する際には、頭部の枕が邪魔となり使用者に不快感を与えるという問題を有している。
【０００９】
本発明は上記事情に鑑みて成されたものであり、背部レストの起立時に自動的に枕部を収納することで、椅子形状での枕部による不快感と転倒リスクとを払拭したベッドを提供することを目的とする。
【課題を解決するための手段】
【００１０】
本発明は、
使用者Ｕの背部を支持する起伏可能な背部レスト６１を有するベッドにおいて、
前記背部レスト６１の所定の位置に形成された枕部入出孔３２と、
枕部入出孔３２に可動な状態で挿入される枕部３０と、
枕部３０を前記枕部入出孔３２に沿って移動させる枕部支持体３４と、を有し、
背部レスト６１の起立時には枕部３０の上部を枕部入出孔３２に収納するとともに、
背部レスト６１の倒伏時には枕部支持体３４により枕部３０の上部が背部レスト６１の表面よりも所定量突出することを特徴とするベッド１００を提供することにより、上記課題を解決する。
【発明の効果】
【００１１】
本発明に係るベッドは、上記の構成により、
背部レストの起立時には枕部の上部が自動的に収納され、背部レストの倒伏時には枕部の上部が自動的に突出するため、椅子形状時における枕部からの使用者に対する不快感と転倒リスクとを払拭することができる。
【発明を実施するための最良の形態】
【００１２】
本発明に係るベッドの実施の形態について図面に基づいて説明する。図１は、本発明に係るベッドの一実施の形態のベッド形状時の側面図である。また、図２は、図１に示す本発明に係るベッドの椅子形状時の側面図である。図３は、本発明に係るベッドの一実施の形態の変形例を示す椅子形状時の側面図である。図４は、本発明に係るベッドの一実施の形態の変形例を示す斜視図である。尚、図１〜図４に示すベッド１００は本発明の好適な形態の一つであるから、ベッド１００のベッド形状から椅子形状への変形機構、構造、及び構成要素等は、特にこれに限定されるものではなく、少なくとも使用者の背部を支持する背部レストが起伏可能とする機構を有していれば本発明は適用が可能である。
【００１３】
先ず、ベッド１００の概略構成とその変形機構を説明する。ベッド１００の架台１は複数の鋼材を接合するなどして形成され、下部ベースフレーム２と上部ベースフレーム３とそれらを連結する支柱２３とにより主要部分が構成される。そして、下部ベースフレーム２の下側にはその四隅部分に支持脚２１が固定され、また、架台１における使用者Ｕの頭部側にはヘッドボード４が設置される。更に、架台１の所定の位置には、後述する背部レスト６１を起伏動作させるためのシリンダ装置５がその一端が回転可能な状態で設置される。
【００１４】
また、架台１の上部ベースフレーム３上には使用者Ｕの臀部乃至は大腿部を支持するための、大腿部レストフレーム６２ａとマットレス部Ｍ２とからなる大腿部レスト６２が固定されている。大腿部レスト６２の一端には使用者Ｕの上半身を支持するための、背部レストフレーム６１ａとマットレス部Ｍ１とからなる背部レスト６１が、大腿部レスト６２と背部レスト６１との側縁から立ち上がるヒンジ６５Ａにより連結されている。そして、背部レスト６１はヒンジ６５Ａが屈曲することにより起伏動作を行う。大腿部レスト６２のもう一端には、使用者Ｕの下腿部及び足部を支持するための、下腿部レストフレーム６３ａとマットレス部Ｍ３とからなる下腿部レスト６３がヒンジ６５Ｂにより連結されている。そして、下腿部レスト６３はこのヒンジ６５Ｂによって下方向に屈曲動作する。また、背部レスト６１（マットレス部Ｍ１及び背部レスト６１ａ）における使用者Ｕの頭部近傍に位置する所定の領域には、枕として機能するに十分な大きさの枕部３０が背部レスト６１の厚み方向に移動することが可能な枕部入出孔３２が形成されている。
【００１５】
尚、背部レストフレーム６１ａ、大腿部レストフレーム６２ａ、下腿部レストフレーム６３ａとマットレス部Ｍ１〜Ｍ３とは分離可能とすることが好ましい。このような構成とすれば、通常時では各レストフレームとマットレス部Ｍ１〜Ｍ３とを固定して使用し、清掃時、運搬時、マットレス交換時等では各レストフレームからマットレス部Ｍ１〜Ｍ３を分離することが可能となり、これらの作業を効率良く行うことができる。
【００１６】
背部レスト６１の裏面には、大腿部レスト６２方向に延びる左右一対の作動板６６が固定され、作動板６６の所定の位置にはシリンダ装置５により伸縮する伸縮ロッド部５１の先端が、軸Ｐ１を介して可動な状態で接続される。また、作動板６６には、下腿部レスト６３の先端部と作動板６６とを連結する伝動リンク７が結合部Ｐ２を介して可動な状態で接続される。
【００１７】
次に、ベッド１００の変形動作を説明する。先ず、図１に示すように、ベッド１００がベッド形状である場合には、シリンダ装置５の伸縮ロッド部５１は伸びた状態であり、背部レスト６１、大腿部レスト６２、下腿部レスト６３は一直線の略水平状態となっている。ここで、シリンダ装置５を駆動させて、伸縮ロッド部５１をシリンダ装置５の方向に縮めると、伸縮ロッド部５１と接続されている作動板６６がヒンジ６５Ａを中心に図１中における左回転方向に回転する。これにより、作動板６６に接続されている背部レスト６１がヒンジ６５Ａを中心に起立動作する。またこれと同時に、下腿部レスト６３は作動板６６に接続された伝動リンク７によってヒンジ６５Ｂを中心に下方向に旋回し、最終的にベッド１００は図２に示されるような椅子形状へと変形する。尚、シリンダ装置５の駆動方法には特に限定は無く、モータ駆動としても油圧もしくは空気圧シリンダとしてもよい。
【００１８】
また反対に、ベッド１００を図２に示す椅子形状から図１に示すベッド形状へと変形させる場合には、シリンダ装置５を駆動させて伸縮ロッド部５１を伸ばし、作動板６６を上記とは逆の方向に回転させることで、背部レスト６１を倒伏動作させるとともに下腿部レスト６３を上方向に旋回させる。これにより、ベッド１００は最終的に背部レスト６１、大腿部レスト６２、下腿部レスト６３の表面が略水平状態のベッド形状へと変形する。
【００１９】
次に、本発明の大きな特徴であるベッド１００の枕部３０に関する部位の構成とその動作を説明する。尚、ここでは、枕部３０における使用者Ｕの頭部を載置する部分を上部として記載する。前述のように、背部レスト６１には使用者Ｕが横臥したときにその頭部近傍に位置する所定の領域に、枕として機能するに十分な大きさの枕部３０が背部レスト６１の厚み方向に移動することが可能な枕部入出孔３２が形成されている。そして、枕部入出孔３２には枕部３０が枕部入出孔３２の内面に沿って移動可能なように挿入される。また、架台１には枕部支持体３４が設置され、背部レスト６１が倒伏した状態においては、この枕部支持体３４が枕部３０の底面を押し上げて、枕部３０の上部を使用者Ｕが枕として使用可能な適度な高さになるように背部レスト６１（マットレス部Ｍ１）の表面よりも突出させる。尚、枕部支持体３４の高さを調整可能として枕部３０の突出量を変化できるようにしても良い。
【００２０】
ここで、ベッド１００をベッド形状から椅子形状への変化させるために、シリンダ装置５を駆動して背部レスト６１を起立動作させると、枕部３０は枕部支持体３４からの支持を失うとともに、枕部３０の自重及び使用者Ｕの頭部による負荷によって枕部入出孔３２内に自動的に沈み込み、枕部３０の上部は枕部入出孔３２内に収納されていく。そして最終的に、枕部３０の上部の面が背部レスト６１（マットレス部Ｍ１）の表面と略同等の位置となると、枕部３０は例えばストッパ３６等に当接して支持されこの位置を維持する。尚、背部レスト６１の起立動作時における枕部３０の枕部入出孔３２内への移動は、枕部３０の自重のみならず、バネ等の弾性体を用いて行っても良い。また、ベッド１００の変形機構とリンクさせるなどして機械的に行っても良い。
【００２１】
また反対に、ベッド１００が椅子形状からベッド形状への変形する際には、背部レスト６１の倒伏動作が進むことで、ある時点において枕部支持体３４が枕部３０の底面に当接する。そして、さらに背部レスト６１が倒伏動作することにより、枕部支持体３４が枕部３０の底面を押し上げ、最終的に枕部３０の上部が背部レスト６１（マットレス部Ｍ１）の表面よりも所定量突出して、これが使用者Ｕの枕として機能する。
【００２２】
また、図３に示すように、枕部３０を枕上部３０ａと枕下部３０ｂとに分離可能としても良い。この構成によれば、通常使用時では枕上部３０ａと枕下部３０ｂとを固定し、枕上部３０ａの洗浄時、交換時などでは枕上部３０ａを枕下部３０ｂから分離することが可能となり、これらの作業を効率良く行うことが出来る。尚、枕部支持体３４は、図３に示すように枕部３０側に取り付けても構わない。
【００２３】
更に、図４（ａ）に示すように、枕部入出孔３２及び枕下部３０ｂを枕上部３０ａの寸法よりも大きく形成しても良い。そして、図４（ｂ）の枕部３０の拡大図に示すように、例えばマジックテープ（登録商標）等の着脱部材３７を用いて、枕上部３０ａを枕下部３０ｂ上の任意の箇所に設置可能とすれば、使用者Ｕの身長に合わせて枕上部３０ａの設置位置を調整することができる。
【００２４】
以上のことから、本発明に係るベッドによれば、背部レスト６１の起立動作時、即ちベッド１００が椅子形状へ変化する際には、枕部３０の上部は枕部入出孔３２内に自動的に収納され、また、背部レスト６１の倒伏動作時、即ちベッド１００がベッド形状へ変化する際には、枕部３０の上部が枕部支持体３４によって自動的に突出する。このため、ベッド１００は椅子形状となっても枕が脱落することも枕が突出した状態で残留することも無く、よって枕部３０からの使用者Ｕに対する不快感及び転倒リスクを払拭することができる。
【００２５】
尚、背部レスト６１の起伏動作は特に機械式でなくとも、人力で行うものであっても構わない他、本発明は本発明の要旨を逸脱しない範囲で変更して実施することが可能である。
【図面の簡単な説明】
【００２６】
【図１】本発明に係るベッドのベッド形状時の側面図である。
【図２】本発明に係るベッドの椅子形状時の側面図である。
【図３】本発明に係るベッドの変形例の椅子形状時の側面図である。
【図４】本発明に係るベッドの変形例を示す斜視図である。
【符号の説明】
【００２７】
３０    枕部
３２    枕部入出孔
３４    枕部支持体
６１    背部レスト
１００  ベッド
Ｕ      使用者
【図１】
2009125339.tif 000003
【図２】
2009125339.tif 000004
【図３】
2009125339.tif 000005
【図４】
2009125339.tif 000006